(57)【特許請求の範囲】
【請求項１】
コイルへの通電により駆動される可動鉄心を備えたソレノイド部と、弁ボディに複数のポートを設けると共に、上記可動鉄心により駆動されて該複数のポートを切り替える弁体が内装された弁部とから構成され、上記弁ボディが、上記弁体を該弁ボディ内に挿入するための弁穴と、該弁穴を閉塞するためのエンドカバーを備えてなる電磁弁において、
上記エンドカバーは、弁穴を閉鎖する蓋板と、該蓋板の周縁から延設された複数の腕片と、該腕片からそれぞれ上記蓋板における当該エンドカバーの上記弁穴への嵌合方向側の面に立設されると共に、その先端部にテーパ部を持つ係止爪が形成された係止片と、上記蓋板における当該エンドカバーの上記弁穴への嵌合方向側の面に該面から凸設されると共に外周にシール部材が配設された嵌入筒部とを備え、
該嵌入筒部が上記弁ボディに開口された弁穴に密に嵌合されると共に、上記係止爪が上記弁ボディの弁穴近傍に凹設された係止溝内の段部に対して係合している、
ことを特徴とする電磁弁。
【請求項２】
上記嵌入筒部はその中心に、上記流路開閉機構の一部を摺動自在に嵌挿するための凹部が設けられていることを特徴とする請求項１に記載の電磁弁。
【発明の詳細な説明】
【０００１】
【発明の属する技術分野】
本発明は、ソレノイド部および弁部からなる電磁弁に関するものであって、詳しくは弁部の弁穴を塞ぐエンドカバーの改良に関する。
【０００２】
【従来の技術】
従来、この種の電磁弁としては、図３に示すように、コイル１を巻いたボビン２と、ボビン２の中心穴に嵌挿された固定鉄心３と、ボビン２内に摺動可能に挿入された可動鉄心４と、弁ボディ５に設けられた複数のポート（図示略す）を互いに連通させる通路中の弁座５ａ，５ｂと、可動鉄心４によって駆動されて弁座５ａ，５ｂを開閉する弁体６ａ，６ｂとから構成されたものが知られている。その電磁弁では、上記弁ボディ５に弁体６ｂ等を収容するための弁穴７が穿設されており、該弁穴７の開口部には、該開口部を閉塞すると共に弁ボディ５に内挿された弁体６ｂを一方向に付勢する弁ばね８のばね座を兼ねた可撓性のエンドカバー９が嵌入されている。
【０００３】
そして、上記エンドカバー９は、有底円筒状の基部９ａと、該基部９ａの外周面からエンドカバー９の嵌入方向に対して逆方向に拡開するように立設される共に、その先端に爪部９ｃが形成された複数の係止片９ｂと、該係止片９ｂよりも基部９ａの先端側の外周に配設されたシール部材１０とからなり、該エンドカバー９を上記弁穴７に対して嵌合することにより、該弁穴７をシール部材１０で密に閉塞すると共に、上記係止片９ｂの爪部９ｃが上記弁穴７内に形成された段部７ａに係合して、エンドカバー９が弁穴７から抜脱するのを防止している。
【０００４】
ところで、上記の如き電磁弁のエンドカバー９おいては、上記係止片９ｂが、円筒状の基部９ａの外周面からエンドカバー９の嵌入方向に対して逆方向に拡開するように立設されているため、シール部材１０を上記係止片９ｂよりも基部９ａの底側に配設することが出来ず、基部の９ａの先端側に設置せざるを得ず、そのため、エンドカバー９全体が長くなり、電磁弁の小型化の妨げになる。また、上記係止片９ｂが基部９ａの外周面に沿って湾曲しているため、弁ボディ５の小型化のためにそれを可及的に短くすると、側方からの外力に対して比較的高い剛性を有することになるので撓み難く、従ってエンドカバー９をが弁穴７に嵌入する際に、比較的強い力が必要になる。
【０００５】
【発明が解決しようとする課題】
本発明は、上記のような問題点に鑑みてなされたものであって、その目的とするところは、弁ボディを小型化することができ、しかも弁穴にも容易に嵌入することができる電磁弁を提供することにある。
【０００６】
【課題を解決するための手段】
上記課題を解決すべく、本発明に係る電磁弁は、コイルへの通電により駆動される可動鉄心を備えたソレノイド部と、弁ボディに複数のポートを設けると共に、上記可動鉄心により駆動されて該複数のポートを切り替える弁体が内装された弁部とから構成され、上記弁ボディが、上記弁体を該弁ボディ内に挿入するための弁穴と、該弁穴を閉塞するためのエンドカバーを備えてなる電磁弁において、上記エンドカバーは、弁穴を閉鎖する蓋板と、該蓋板の周縁から延設された複数の腕片と、該腕片からそれぞれ上記蓋板における当該エンドカバーの上記弁穴への嵌合方向側の面に立設されると共に、その先端部にテーパ部を持つ係止爪が形成された係止片と、上記蓋板における当該エンドカバーの上記弁穴への嵌合方向側の面に該面から凸設されると共に外周にシール部材が配設された嵌入筒部とを備え、該嵌入筒部が上記弁ボディに開口された弁穴に密に嵌合されると共に、上記係止爪が上記弁ボディの弁穴近傍に凹設された係止溝内の段部に対して係合していることを特徴としている。
上記嵌入筒部はその中心に、上記流路開閉機構の一部を摺動自在に嵌挿するための凹部を設けるのが弁ボディの小型化のために更に有効である。
【０００７】
【発明の実施の形態】
以下、本発明の一実施の形態を図面に基づいて詳細に説明する。
図１に示す電磁弁は、ソレノイド部１０と弁部２０とからなり、ソレノイド部１０は、コイル１２が巻回されたボビン１３と、該コイル１２周りに周設され横断面が略長方形の側壁と該側壁と一体に形成された端壁とからなると共に、その一端に開口を備えた磁気ケース１１と、上記ボビン１３における上記磁気ケース１１の開口側に配置された磁気板１６と、断面略楕円または長円形の柱状体からなり、磁気板１６及びボビン１３の間を貫通する中心孔に対して、一端側が磁気板１６側から摺動自在に嵌挿された可動鉄心１５と、断面略楕円または長円形の柱状体からなり、上記磁気ケース１１の端壁上に配置されて上記ボビン１３の中心孔内に嵌挿されると共に、上記可動鉄心１５の一端側を磁力により吸着する固定鉄心１４とから構成され、上記磁気板１６の外周を該磁気ケース１１の側壁に溶接等の手段で固定することにより、上記ボビン１３及び固定鉄心１４が上記磁気ケース１１内で固定されている。これにより、上記ボビン１３のコイル１２周りに磁路が形成されている。
【０００８】
また、上記可動鉄心１５の他端側には、該可動鉄心１５が固定鉄心１４に吸着された際に上記磁気板１６に当接する合成樹脂製のストッパ１７が圧入され、このストッパ１７と磁気板１６との間には復帰ばね１８が縮設されている。
【０００９】
上記ソレノイド部において、コイル１２が非通電状態である場合には、上記可動鉄心１４は復帰ばね１８の付勢力により、上記固定鉄心１４から離間する方向であって、後述する弁部２０のプッシュロッド１９を押圧する方向に移動する。一方、コイル１２に通電されると、上記固定鉄心１４が上記復帰ばね１８の付勢力に抗して可動鉄心１５を磁力により吸着し、該可動鉄心１５によるプッシュロッド１９に対する押圧力が開放される。
【００１０】
また、弁部２０は、入力ポートＰ、出力ポートＡ、排出ポートＲ及びこれらを相互に連通する弁室２１ａとが内部に形成された横断面が略長方形の弁ボディ２１と、上記弁室２１ａに収容された可動オリフィス２３及びポペット弁２２と、該ポペット弁２２と連結されると共に弁部２０の一端に突出して、前記可動鉄心１５に押圧されるプッシュロッド１９とを備えている。
【００１１】
上記可動オリフィス２３は、上記ポペット弁２２に接離して上記弁室２１ａに対して開閉される供給弁座２３ａと、該供給弁座２３ａと入力ポートＡとの間を連通する管路２３ｂとを備え、上記弁室２１ａ内において上記ポペット弁２２方向すなわち上記供給弁座２３ａがポペット弁２２に着座する方向に摺動自在に設けられている。
【００１２】
上記ポペット弁２２は、上記弁室２１内において、上記排出ポートＲが弁室２１ａに連通する位置に設けられた排出弁座２１ｄと上記供給弁座２３ａとの間を移動可能に配設され、上記ソレノイド部１０のコイル１２に対する通電により上記両弁座２１ｄ，２３ａを開閉動作する。なお、上記可動オリフィス２３と上記ポペット弁２２との間にはポペットばね２４が縮設されている。また、弁室２１ａに対して上記可動オリフィス２３やポペット弁２２等を挿入するために弁ボディ２１に開口された弁穴２１ｅは、周囲にシール部材２５が装着されたエンドカバー３０により密に閉塞されている。
【００１３】
そして、上記ソレノイド部１０と弁部２０とは、ソレノイド部１０の磁気ケース１１の開口に、弁部２０のプッシュロッド１９が突出している一端をシール部材２６及び２７を介して嵌着することにより結合されている。
【００１４】
このような構造を有するソレノイド部１０と弁部２０を結合した電磁弁においては、コイル１２が非通電状態である場合には、可動鉄心１５が固定鉄心１４から離間してプッシュロッド１９を介してポペット弁２２を可動オリフィス２３の供給弁座２３ａに対して押圧し、また、コイル１２に通電されると、可動鉄心１５が固定鉄心１４に吸着されるため、可動鉄心１５によるプッシュロッド１９の押圧が解除され、ポペットばね２４の付勢力によってポペット弁２２が供給弁座２３ａから離間すると共に排出弁座２１ｄに着座する。
そうすることにより、上記入力ポートＰ、出力ポートＡ、排出ポートＲが相互に連通または遮断されて切り替えられる。
【００１５】
上記エンドカバー３０は、弁穴を閉鎖する円形の蓋板３１と、蓋板３１の周縁から両側に該蓋板３１と面一かつ一体に延設された腕片３１ａと、該腕片３１ａの端部から上記蓋板３１における当該エンドカバーの上記弁穴への嵌合方向側の面にほぼ垂直かつ一体に立設された係止片３２と、前記蓋板３１のにおける当該エンドカバーの上記弁穴への嵌合方向側の面に一体に凸設されると共に外周にシール部材２５が周設され、上記弁ボディ２１の弁穴２１ｅに嵌合する円筒状の嵌入筒部３４とから構成されており、上記係止片３２の先端には、該先端からエンドカバー３０の外側方向に拡がるテーパ部３３ｂと、後述する上記弁ボディ２１に形成された係止溝２１ｂの段部２１ｃと係合する角部３３ａとを備えた係止爪３３が一体に形成されている。
【００１６】
ここで、上記嵌入筒部３４は、蓋板３１における当該エンドカバーの上記弁穴への嵌合方向側の面からの高さが、上記係止片３２よりも低くなっている。また、上記嵌入筒部３４と蓋板３１とによって、上記可動オリフィス２３の一端部が摺動自在に嵌合される凹部３４ａが形成されており、エンドカバー３０には該凹部３４ａと弁体２０の外部とを連通させる図示しない通気孔が設けられている。
上記ポペット弁２２は、可動オリフィス２３等と共に流路開閉機構を構成し、供給弁座２３ａと排出弁座２１ｄを交互に開閉するものであるが、この流路開閉機構は図示した構成に限るものではなく、特に、可動オリフィス２３は弁穴内またはエンドカバー３０に固定的に設けることもできる。そして、上記嵌入筒部３４の中心に凹部３４ａを設けてその凹部内に上記流路開閉機構の一部を嵌入するように構成すると、それだけ弁ボディ２１を小型化することができる。
【００１７】
一方、弁ボディ２１の上記弁穴２１ｅの近傍には、上記係止片３２を挿入して係止するための係止溝２１ｂが凹設されており、該係止溝２１ｂの外側の側壁には、上記係止爪３３が係合される段部２１ｃが形成されている。
なお、該段部２１ｃは、弁ボディ２１における弁穴２１ｅの開口の両側に係止溝２１ｂを凹設し、該係止溝２１ｂと交わって貫通する貫通孔２１ｆを弁ボディ２１の側面から穿設することにより形成される。
【００１８】
そして、上記係止爪３３のテーパ部３３ｂを上記係止溝２１ｂの外側の開口縁に押し当てて、エンドカバー３０を上記弁穴２１ｅに嵌合させる方向に押圧すると、上記エンドカバー３０の腕片３１ａ及び係止片３２が内方向に撓んで、上記係合爪３３が係止溝２１ｂの外側の内壁に乗り上げる。更に押圧して上記嵌入筒部３４を弁穴２１ｅに完全に嵌合させると、上記係止溝２１ｂの段部２１ｃと係止爪３３の角部３３ａが係合して係止片３２が開いて戻る。そうすることにより、弁穴２１ｅがエンドカバー３０で閉塞される。同時に、可動オリフィス２３の一端部が上記凹部３４ａに嵌合される。
【００１９】
なお、上記実施例では、エンドカバー３０の蓋板３１から２つの腕部３１ａを延設したが、複数個であればいくつ設けても良い。また、係合爪３３を係止片３２の外側に形成したが、内側に形成しても良いことは言うまでもない。
【００２０】
【発明の効果】
以上の説明から理解されるように、本発明によれば、エンドカバーを、蓋板と、該蓋板の周縁から延設された複数の腕片と、該腕片からそれぞれ上記蓋板における当該エンドカバーの上記弁穴への嵌合方向側の面に立設されると共に、その先端部にテーパ状に拡がる係止爪が形成された係止片と、上記蓋板における当該エンドカバーの上記弁穴への嵌合方向側の面に該面からの高さが上記係止片よりも低く凸設されると共に外周にシール部材が配設された嵌入筒部とから構成したので、シール部材を係止片の係止爪よりも蓋板に近い位置に配設することができるため、エンドカバー全体の長さを短くすることができ、電磁弁を従来に比べて小型化することができる。また、エンドカバーにより弁穴を閉塞する際に、腕片と係止片が外力により撓みやいため、係止爪を弁ボディの係止溝内に形成した段部に対して、従来に比べてより小さな力で係合させることができる。
【図面の簡単な説明】
【図１】本発明に係る電磁弁の一実施の形態を示す縦断面図である。
【図２】図１の電磁弁における弁部の分解斜視図である。
【図３】従来の電磁弁の縦断面図である。
【符号の説明】
１０    ソレノイド部
１２    コイル
１３    ボビン
１４    固定鉄心
１５    可動鉄心
２０    弁部
２１    弁ボディ
２５，２６，２７  シール部材
３０    エンドカバー
３１    蓋板
３１ａ  腕片
３２    係止片
３３    係止爪
３３ｂ  テーパ部
３４    嵌入筒部
３４ａ  凹部
Ａ，Ｐ，Ｒ  ポート
【図１】
0003857094.tif 000002
【図２】
0003857094.tif 000003
【図３】
0003857094.tif 000004